【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
第１階調分解能を有する第１種別の画像を、階調分解能を前記第１階調分解能よりも高い第２階調分解能に変換するとともに階調特性を変換する処理を施した変換画像に変換する変換手段と、
外部機器と接続する接続手段と、
前記外部機器との接続モードを、前記第１階調分解能以下の階調分解能を有する画像を出力する第１接続モードと、前記第１階調分解能よりも高い階調分解能を有する画像を出力する第２接続モードとを含む複数の接続モードの何れかに設定する設定手段と、
前記第１接続モードでの接続がされている場合には、前記第１種別の画像を前記変換手段で変換することなく前記接続手段から出力し、
前記第２接続モードでの接続がされている場合には、前記第１種別の画像を前記変換手段で変換して前記接続手段から出力する
ように制御する制御手段と、
を有し、
前記第２接続モードでの接続を継続したまま、前記接続手段から出力する画像のソースを、前記第１階調分解能よりも高い階調分解能を有する第２種別の画像から前記第１種別の画像に切り替えることが可能である
ことを特徴とする電子機器。
【請求項２】
前記制御手段は、前記第２種別の画像について、前記第２接続モードでの接続がされている場合に、前記第２種別の画像を前記変換手段で変換することなく前記第２種別の画像に基づく画像を前記接続手段から出力するように制御する
ことを特徴とする請求項１に記載の電子機器。
【請求項３】
前記制御手段は、前記第２種別の画像について、
前記第１接続モードでの接続がされている場合には、前記第２種別の画像に関連付けられて記録された前記第１階調分解能を有する画像を前記接続手段から出力し、
前記第２接続モードでの接続がされている場合には、前記第２階調分解能を有する画像を前記第２種別の画像から生成して前記接続手段から出力する
ように制御する
ことを特徴とする請求項１または２に記載の電子機器。
【請求項４】
前記第２種別の画像は現像処理前の画像である
ことを特徴とする請求項２または３に記載の電子機器。
【請求項５】
前記第１種別の画像はＪＰＥＧ画像である
ことを特徴とする請求項１〜４のいずれか１項に記載の電子機器。
【請求項６】
設定されている接続モードが前記第２接続モードから前記第１接続モードに切り替えられる際に、前記外部機器との再接続処理が行われる
ことを特徴とする請求項１〜５のいずれか１項に記載の電子機器。
【請求項７】
前記再接続処理は、ＨＤＭＩ（登録商標）接続のための処理である
ことを特徴とする請求項６に記載の電子機器。
【請求項８】
前記変換手段の処理は、画像の色空間を変換する処理を含む
ことを特徴とする請求項１〜７のいずれか１項に記載の電子機器。
【請求項９】
前記変換手段は、
画像の色空間を第１色空間に変換する処理、
画像の階調特性を第１階調特性に変換する処理、
画像の階調分解能を前記第１階調分解能から前記第２階調分解能に変換する処理、
画像の階調特性を第２階調特性に変換する処理、及び、
画像の色空間を第２色空間に変換する処理、
を順に行う
ことを特徴とする請求項８に記載の電子機器。
【請求項１０】
前記変換手段は、色空間（階調特性，階調分解能）＝ＹＣＣ（ＢＴ．６０１で規定された階調特性，ＢＴ．６０１で規定された階調分解能）の画像をＹＣＣ（ＳＴ．２０８４で規定された階調特性，ＢＴ．２０２０で規定された階調分解能）の画像に変換する
ことを特徴とする請求項１〜９のいずれか１項に記載の電子機器。
【請求項１１】
前記変換手段は、
色空間（階調特性，階調分解能）＝ＹＣＣ（ＢＴ．６０１で規定された階調特性，ＢＴ．６０１で規定された階調分解能）の画像をＲＧＢ（ＢＴ．６０１で規定された階調特性，ＢＴ．６０１で規定された階調分解能）の画像に変換する処理、
ＲＧＢ（ＢＴ．６０１で規定された階調特性，ＢＴ．６０１で規定された階調分解能）の画像をＲＧＢ（線形特性，ＢＴ．６０１で規定された階調分解能）の画像に変換する処理、
ＲＧＢ（線形特性，ＢＴ．６０１で規定された階調分解能）の画像をＲＧＢ（線形特性，ＢＴ．２０２０で規定された階調分解能）の画像に変換する処理、
ＲＧＢ（線形特性，ＢＴ．２０２０で規定された階調分解能）の画像をＲＧＢ（ＳＴ．２０８４で規定された階調特性，ＢＴ．２０２０で規定された階調分解能）の画像に変換する処理、及び、
ＲＧＢ（ＳＴ．２０８４で規定された階調特性，ＢＴ．２０２０で規定された階調分解能）の画像をＹＣＣ（ＳＴ．２０８４で規定された階調特性，ＢＴ．２０２０で規定された階調分解能）の画像に変換する処理
を順に行う
ことを特徴とする請求項１０に記載の電子機器。
【請求項１２】
前記第１階調分解能は８ｂｉｔの階調分解能である
ことを特徴とする請求項１〜１１のいずれか１項に記載の電子機器。
【請求項１３】
前記第２階調分解能は、１０ｂｉｔまたは１２ｂｉｔの階調分解能である
ことを特徴とする請求項１〜１２のいずれか１項に記載の電子機器。
【請求項１４】
外部機器と接続する接続手段を有する電子機器の制御方法であって、
第１階調分解能を有する第１種別の画像を、階調分解能を前記第１階調分解能よりも高い第２階調分解能に変換するとともに階調特性を変換する処理を施した変換画像に変換する変換ステップと、
外部機器と接続する接続ステップと、
前記外部機器との接続モードを、前記第１階調分解能以下の階調分解能を有する画像を出力する第１接続モードと、前記第１階調分解能よりも高い階調分解能を有する画像を出力する第２接続モードとを含む複数の接続モードの何れかに設定する設定ステップと、
前記第１接続モードでの接続がされている場合には、前記第１種別の画像を前記変換ステップで変換することなく前記外部機器に出力し、
前記第２接続モードでの接続がされている場合には、前記第１種別の画像を前記変換ステップで変換して前記外部機器に出力する
ように制御する制御ステップと、
を有し、
前記第２接続モードでの接続を継続したまま、前記接続手段から出力する画像のソースを、前記第１階調分解能よりも高い階調分解能を有する第２種別の画像から前記第１種別の画像に切り替えることが可能である
ことを特徴とする電子機器の制御方法。
【請求項１５】
第１階調分解能を有する第１種別の画像を、階調分解能を前記第１階調分解能よりも高い第２階調分解能に変換するとともに階調特性を変換する処理を施した変換画像に変換する変換手段と、
表示手段に映像信号を出力する出力手段と、
前記表示手段での表示モードを、前記第１階調分解能以下の階調分解能を有する画像を表示する第１表示モードと、前記第１階調分解能よりも高い階調分解能を有する画像を表示する第２表示モードとを含む複数の表示モードの何れかに設定する設定手段と、
前記第１表示モードでの表示がされている場合には、前記第１種別の画像を前記変換手段で変換することなく前記表示手段に出力し、
前記第２表示モードでの表示がされている場合には、前記第１種別の画像を前記変換手段で変換して前記表示手段に出力する
ように制御する制御手段と、
を有することを特徴とする電子機器。
【請求項１６】
前記第２表示モードの設定を継続したまま、前記出力手段によって出力される画像のソースを、前記第１階調分解能よりも高い階調分解能を有する第２種別の画像から前記第１種別の画像に切り替えることが可能である
ことを特徴とする請求項１５に記載の電子機器。
【請求項１７】
第１階調分解能を有する第１種別の画像を、階調分解能を前記第１階調分解能よりも高い第２階調分解能に変換するとともに階調特性を変換する処理を施した変換画像に変換する変換ステップと、
表示手段に映像信号を出力する出力ステップと、
前記表示手段での表示モードを、前記第１階調分解能以下の階調分解能を有する画像を表示する第１表示モードと、前記第１階調分解能よりも高い階調分解能を有する画像を表
示する第２表示モードとを含む複数の表示モードの何れかに設定する設定ステップと、
前記第１表示モードでの表示がされている場合には、前記第１種別の画像を前記変換ステップで変換することなく前記表示手段に出力し、
前記第２表示モードでの表示がされている場合には、前記第１種別の画像を前記変換ステップで変換して前記表示手段に出力する
ように制御する制御ステップと、
を有することを特徴とする電子機器の制御方法。
【請求項１８】
コンピュータを、請求項１〜１３，１５，１６のいずれか１項に記載の電子機器の各手段として機能させるためのプログラム。
【手続補正２】
【補正対象書類名】明細書
【補正対象項目名】０００７
【補正方法】変更
【補正の内容】
【０００７】
本発明の電子機器は、第１階調分解能を有する第１種別の画像を、階調分解能を前記第１階調分解能よりも高い第２階調分解能に変換するとともに階調特性を変換する処理を施した変換画像に変換する変換手段と、外部機器と接続する接続手段と、前記外部機器との接続モードを、前記第１階調分解能以下の階調分解能を有する画像を出力する第１接続モードと、前記第１階調分解能よりも高い階調分解能を有する画像を出力する第２接続モードとを含む複数の接続モードの何れかに設定する設定手段と、前記第１接続モードでの接続がされている場合には、前記第１種別の画像を前記変換手段で変換することなく前記接続手段から出力し、前記第２接続モードでの接続がされている場合には、前記第１種別の画像を前記変換手段で変換して前記接続手段から出力するように制御する制御手段と、を有し、前記第２接続モードでの接続を継続したまま、前記接続手段から出力する画像のソースを、前記第１階調分解能よりも高い階調分解能を有する第２種別の画像から前記第１種別の画像に切り替えることが可能であることを特徴とする。